(57)【要約】【解決手段】発光式警告表示具１においては、発光装置４を内蔵した帯状の表示体２の両端部に連結環５を支軸２１により回動可能に支持し、この連結環５の両端部に設けた開口１９を互いに結ぶ中心線１９Ｐの方向Ｐを、この表示体２に対する連結環５の回動操作に伴い、この連結環５の回動中心線５ａに対し直交する各方向のうち複数の方向へ変更し得るようにした。この連結環５において、両端部間に設けた周壁部２０で両開口１９の内周縁１９ａ間に分離可能部２２を設け、この分離可能部２２で相対向する両切断縁部を互いに着脱可能に連結する両接続部を設けた。【効果】取付け対象物の形態に応じて連結環５の中心線１９Ｐの方向Ｐを変更することができる。従って、連結環５を取付け対象物に対し容易に支持することができる。【選択図】図２
2006011160.tif 000002
【特許請求の範囲】
【請求項１】
発光手段を有する表示体に支持した複数の連結環のうち全部または一部の連結環で、両端部に設けた開口を互いに結ぶ中心線の方向を表示体に対し変更し得る可動手段を設けたことを特徴とする発光式警告表示具。
【請求項２】
発光手段を有する表示体に設けた複数の連結環のうち全部または一部の連結環を回動可能に支持し、この連結環の両端部に設けた開口を互いに結ぶ中心線の方向を、この表示体に対する連結環の回動操作に伴い、この連結環の回動中心線に対し直交する各方向のうち複数の方向へ変更し得るようにしたことを特徴とする発光式警告表示具。
【請求項３】
前記連結環において、両端部間に設けた周壁部で両開口の内周縁間に分離可能部を設け、この分離可能部で相対向する両切断縁部を互いに着脱可能に連結する両接続部を設けたことを特徴とする請求項１または請求項２に記載の発光式警告表示具。
【請求項４】
前記連結環において、分離可能部で両接続部の接続位置を互いに変更することにより、周壁部の周方向長さを変更し得ることを特徴とする請求項３に記載の発光式警告表示具。
【請求項５】
前記表示体及び連結環は可撓性を有していることを特徴とする請求項１から請求項４のうちいずれかの請求項に記載の発光式警告表示具。
【発明の詳細な説明】
【技術分野】
【０００１】
本発明は、例えば夜間におけるペット等の散歩時などに交通事故を未然に防止するための発光式警告表示具に関するものである。
【背景技術】
【０００２】
下記特許文献１では、対象物７に対し発光プレートＡを取付手段６により取り付けている。この取付手段６としては、テープファスナー６ａが明示され、そのほかには締付金具付きバンドや粘着テープやマグネットなどが示唆されている。
【特許文献１】実用新案登録第３０８７５５４号公報
【発明の開示】
【発明が解決しようとする課題】
【０００３】
しかし、上記取付手段６では、テープファスナー６ａを発光プレートＡ側のみならず対象物７側にも設ける必要があり、また、対象物７の形態が各種変化すると、対象物７に対する発光プレートＡの取付けが困難になることもあり得た。
【０００４】
この発明は、取付け対象物の形態が各種変化しても取付手段としての連結環を取付け対象物に対し容易に支持し得る発光式警告表示具を提供することを目的としている。
【課題を解決するための手段】
【０００５】
後記実施形態の図面（図１〜７）の符号を援用して本発明を説明する。
請求項１の発明にかかる発光式警告表示具（１）は下記のように構成されている。
この発光式警告表示具（１）においては、発光手段（４）を有する表示体（２）に支持した複数の連結環（５）のうち全部または一部の連結環（５）で、両端部に設けた開口（１９）を互いに結ぶ中心線（１９Ｐ）の方向を表示体（Ｐ）に対し変更し得る可動手段（２１）を設けている。この可動手段については、請求項２の発明以外に、例えば表示体（２）に対し連結環（５）を短い可撓紐により連結してもよい。
【０００６】
請求項２の発明にかかる発光式警告表示具（１）は下記のように構成されている。
この発光式警告表示具（１）においては、発光手段（４）を有する表示体（２）に設けた複数の連結環（５）のうち全部または一部の連結環（５）を可動手段としての回動支持部（２１）により回動可能に支持し、この連結環（５）の両端部に設けた開口（１９）を互いに結ぶ中心線（１９Ｐ）の方向（Ｐ）を、この表示体（２）に対する連結環（５）の回動操作に伴い、この連結環（５）の回動中心線（５ａ）に対し直交する各方向のうち複数の方向へ変更し得るようにした。この連結環（５）の中心線（１９Ｐ）の方向（Ｐ）については、この連結環（５）の回動中心線（５ａ）に対し直交していても直交していなくてもよく、この連結環（５）の回動中心線（５ａ）に対し直交する各方向と一致させる必要はない。例えば、帯状をなす表示体（２）の両端部に連結環（５）を支持している。
【０００７】
請求項１〜２の発明では、取付け対象物の形態に応じて連結環（５）の中心線（１９Ｐ）の方向（Ｐ）を変更することができる。従って、連結環（５）を取付け対象物に対し容易に支持することができる。
【０００８】
請求項１または請求項２の発明を前提とする請求項３の発明にかかる連結環（５）において、両端部間に設けた周壁部（２０）で両開口（１９）の内周縁（１９ａ）間に分離可能部（２２）を設け、この分離可能部（２２）で相対向する両切断縁部（２３，２４）を互いに着脱可能に連結する両接続部（２５ａ，２５ｂ）を設けている。請求項３の発明では、取付け対象物を分離可能部（２２）から連結環（５）に挿入することができる。従って、連結環（５）を取付け対象物に対し容易に支持することができる。
【０００９】
請求項３の発明を前提とする請求項４の発明にかかる連結環（５）において、分離可能部（２２）で両接続部（２５ａ，２５ｂ）の接続位置を互いに変更することにより、周壁部（２０）の周方向長さを変更し得る。請求項４の発明では、連結環（５）において周壁部（２０）の周方向長さを取付け対象物のサイズに合わせて変更することができる。従って、連結環（５）を取付け対象物に対し確実に支持することができる。
【００１０】
請求項１から請求項４のうちいずれかの請求項の発明を前提とする請求項５の発明において、前記表示体（２）及び連結環（５）は可撓性を有している。請求項５の発明では、取付け対象物の形態に応じて表示体（２）及び連結環（５）を撓ませることができる。従って、連結環（５）を取付け対象物に対し容易に支持することができる。
【００１１】
請求項１から請求項５のうちいずれかの請求項の発明を前提とする第６の発明において、発光手段（４）は、表示体本体（３）内に収容されて表示体本体（３）の外側へ発光し得る発光体（１５）と、外部操作によりこの発光体（１５）を点灯または点滅及び消灯させるスイッチ装置（１２）とを備えている。例えば、この発光手段（４）は、袋状の表示体本体（３）内に収容され、その表示体本体（３）に対し出し入れ可能に分離し得る。第６の発明では、発光手段（４）を有する表示体（２）の構造を簡単にすることができる。
【発明の効果】
【００１２】
本発明は、取付け対象物の形態が各種変化しても連結環（５）を取付け対象物に対し容易に支持することができる。
【発明を実施するための最良の形態】
【００１３】
以下、本発明の一実施形態に係る発光式警告表示具について図面を参照して説明する。
図２（ａ）（ｂ）及び図３（ａ）（ｂ）に示す発光式警告表示具１は、図１（ａ）及び図１（ｃ）に示すように細長い帯状をなす表示体２の本体３と、図１（ｂ）及び図１（ｃ）に示す表示体２の発光装置４（発光手段）と、この表示体本体３の両端部に支持された両連結環５とを備えている。
【００１４】
前記表示体本体３は、表壁６と裏壁７とが互いに重ねられて袋状をなし、裏壁７の一端側で各蓋９，１０，１１により開閉される口部８を有している。前記発光装置４は、この表示体本体３に対し分離されて設けられ、スイッチ１３や電池１４（電源）などが内蔵されたスイッチ装置１２と、このスイッチ装置１２により作動する発光体１５とを備えている。この発光体１５は、このスイッチ装置１２に内蔵されて接続されたＬＥＤ１６と、このＬＥＤ１６に接続されてこのスイッチ装置１２の外側に延設された細長い透明な光伝導体１７とを備えている。この発光体１５の光伝導体１７は裏壁７の口部８から表示体本体３内に収容され、その際この口部８で露出するスイッチ装置１２の裏側を各蓋９，１０，１１により隠すことができる。このスイッチ装置１２の表側にあるスイッチ１３を表示体本体３の表壁６で外部操作することができる。この表示体本体３の表壁６には透光壁１８が光伝導体１７に面するように設けられている。この透光壁１８の表面には蛍光塗料が塗布されている。スイッチ装置１２においてスイッチ１３を操作すると、ＬＥＤ１６が点灯または点滅または消灯する。ＬＥＤ１６が点灯または点滅すると、その光は光伝導体１７の全体に伝わり、さらに光伝導体１７からの光は透光壁１８を通して表示体本体３の外側に発光される。この発光装置４は各蓋９，１０，１１を開閉して表示体本体３に対し出し入れすることができる。前記表示体２のうち表示体本体３と発光装置４の光伝導体１７とは、柔軟性（可撓性）を有し、表示体本体３の延設方向Ｘに対し直交する幅方向Ｙ及び厚み方向Ｚへ折り曲げることができる。
【００１５】
前記両連結環５は、その両端部に設けられた開口１９と、その両開口１９間に設けられた周壁部２０とを備え、その周壁部２０で前記表示体本体３の両端部の裏壁７に対し支軸２１（可動手段）により回動可能に支持されている。この両連結環５において、周壁部２０で両開口１９の内周縁１９ａ間に分離可能部２２が設けられ、この分離可能部２２で図４（ｂ）に示すように相対向する両切断縁部２３，２４を互いに着脱可能に連結する両接続部２５ａ，２５ｂが設けられている。この両接続部２５ａ，２５ｂとして面ファスナーを例示したが、そのほかホックや接続金具など既存の結合手段を利用することができる。この両連結環５は、両接続部２５ａ，２５ｂを互いに離脱させると帯状をなし、表示体本体３の延設方向Ｘに対し直交する幅方向Ｙ及び厚み方向Ｚへ折り曲げることができるように柔軟性（可撓性）を有している。この両連結環５において、分離可能部２２で両接続部２５ａ，２５ｂの接続位置を互いに変更すると、周壁部２０の周方向長さを変更することができる。
【００１６】
この発光式警告表示具１において、連結環５の両開口１９を互いに結ぶ中心線１９Ｐの方向Ｐは、表示体本体３に対する連結環５の回動操作に伴い、例えば図３（ａ）（ｂ）、図４（ａ）（ｂ）、図５（ａ）（ｂ）及び図６（ａ）（ｂ）に示すように、連結環５の回動中心線５ａに対し直交する各方向へ３６０度の範囲で変更することができる。
【００１７】
例えば、この発光式警告表示具１をペット等の散歩時に利用する場合には、図７（ａ）（ｂ）（ｃ）に示すように、両開口１９間の中心線１９Ｐの方向Ｐを調節しながら両連結環５に対し取付け対象物としてのリード２６や首輪２７やハーネス２８を挿通して発光式警告表示具１をこれらの取付け対象物に取り付ける。その際、両連結環５において分離可能部２２を開き、その分離可能部２２からこれらの取付け対象物を両連結環５に挿入し、その後にこの分離可能部２２を閉じる。逆に、両連結環５において分離可能部２２を開き、その分離可能部２２でこれらの取付け対象物を両連結環５から抜き、その後にこの分離可能部２２を閉じると、発光式警告表示具１をこれらの取付け対象物から取り外すことができる。そのほか、図示しないが、小学生が学用品を入れて背負うランドセルなど、交通安全上必要な各種製品にこの発光式警告表示具１を取り付けて利用することができる。
【図面の簡単な説明】
【００１８】
【図１】（ａ）は本実施形態にかかる発光式警告表示具において表示体本体及び各連結環を展開した状態を表側から見て示す斜視図であり、（ｂ）はこの発光式警告表示具において発光装置を表側から見て示す斜視図であり、（ｃ）はこの発光式警告表示具において発光装置を展開状態の表示体本体内に収容した状態を裏側から見て示す底面図である。
【図２】（ａ）は図１（ｃ）に示す発光式警告表示具において表示体及び各連結環を閉じた状態を示す側面図であり、（ｂ）は同じく側面側から見た一部切欠き断面図である。
【図３】（ａ）は同じく底面図であり、（ｂ）は同じく平面図である。
【図４】（ａ）は連結環の向きを変更した図３（ａ）相当図であり、（ｂ）は同じく図２（ａ）相当図である。
【図５】（ａ）は連結環の向きを変更した図３（ａ）相当図であり、（ｂ）は同じく図２（ａ）相当図である。
【図６】（ａ）（ｂ）はそれぞれ連結環の向きを変更した図３（ａ）相当図である。
【図７】（ａ）（ｂ）（ｃ）はそれぞれ発光式警告表示具の使用状態図である。
【符号の説明】
【００１９】
１…発光式警告表示具、２…表示体、４…発光装置（発光手段）、５…連結環、５ａ…回動中心線、１２…スイッチ装置、１５…発光体、１９…開口、１９ａ…内周縁、１９Ｐ…中心線、２０…周壁部、２１…支軸（可動手段）、２２…分離可能部、２３，２４…切断縁部、２５ａ，２５ｂ…接続部、Ｐ…方向。
【図１】
2006011160.tif 000003
【図２】
2006011160.tif 000004
【図３】
2006011160.tif 000005
【図４】
2006011160.tif 000006
【図５】
2006011160.tif 000007
【図６】
2006011160.tif 000008
【図７】
2006011160.tif 000009